(57)【要約】      （修正有）【課題】収納した荷物を手間を要さずに使用でき、且つ、整理整頓することが可能なリュックサックを提供する。【解決手段】リュックサック１は、荷物を収納する袋体３と、袋体に設けられた一対の背負いベルトと、袋体の上部に配置され、ファスナ９により開閉される開口部１１と、袋体の下部に配置され、袋体を自立させることが可能な略平坦に形成された底部１３と、を有し、袋体は、開口部を底部の面積と略同じまたはそれ以上の開口面積で開口させた状態を維持できるように構成されている。【選択図】図６
0003231163.tif 000002
【実用新案登録請求の範囲】
【請求項１】
荷物を収納する袋体と、
前記袋体に設けられた一対の背負いベルトと、
前記袋体の上部に配置され、ファスナにより開閉される開口部と、
前記袋体の下部に配置され、前記袋体を自立させることが可能なように略平坦に形成された底部と、を有し、
前記袋体は、
前記開口部を前記底部の面積と略同じまたはそれ以上の開口面積で開口させた状態を維持できるように構成されている
ことを特徴とするリュックサック。
【請求項２】
前記袋体は、
前記開口部が前記ファスナの下部で内側から外側に折り曲げられることにより、当該折り曲げ部が縁となって前記開口させた状態が維持されるように構成されている
ことを特徴とする請求項１に記載のリュックサック。
【請求項３】
前記開口部の長手方向両端に設けられ、前記開口部を折り曲げて開口させた状態を保持するための保持具をさらに有する
ことを特徴とする請求項２に記載のリュックサック。
【請求項４】
前記袋体の前記開口部の周辺に設けられた一対の手提げ部をさらに有し、
前記手提げ部は、
前記開口部が前記ファスナの下部で内側から外側に折り曲げられることにより、下方を向くように構成されている
ことを特徴とする請求項２又は３に記載のリュックサック。
【請求項５】
前記底部の全面を覆うように設けられ、光を反射する反射材をさらに有する
ことを特徴とする請求項１乃至４のいずれか１項に記載のリュックサック。
【請求項６】
前記反射材は、
前記底部の全面を覆うと共に、前記袋体の正面部及び背面部の両方に露出するように設けられており、前記正面部において露出した部分の前記底部からの高さと前記背面部において露出した部分の前記底部からの高さが略同じである
ことを特徴とする請求項５に記載のリュックサック。
【請求項７】
前記背負いベルトの下端は、
前記袋体の側面部において、前記反射材が露出した部分よりも上方に取り付けられている
ことを特徴とする請求項５又は６に記載のリュックサック。
【請求項８】
前記袋体の前記開口部の周辺に設けられた一対の手提げ部をさらに有し、
前記背負いベルトの上端は、
前記袋体の背面部において、前記手提げ部を前記袋体に取り付けた取付位置よりも上方に取り付けられている
ことを特徴とする請求項５乃至７のいずれか１項に記載のリュックサック。
【請求項９】
前記袋体は、
ポリエチレンを含む合成樹脂製の糸状体を織り込んで形成されたシートにより構成されている
ことを特徴とする請求項１乃至８のいずれか１項に記載のリュックサック。
【考案の詳細な説明】
【技術分野】
【０００１】
本考案は、荷物を収納して持ち運ぶためのリュックサックに関し、特に、地震や洪水などの災害の発生時に水や非常食等の防災用品を収納して避難するのに好適なリュックサックに関する。
【背景技術】
【０００２】
特許文献１には、荷物を収納する袋部と、その袋部を身体に装着するための負い紐とを備えたリュックサックが記載されている。袋部の上方には開口部が形成されており、開口部は袋部の背面から伸びる蓋によって被覆可能に構成されている。
【先行技術文献】
【特許文献】
【０００３】
【特許文献１】実用新案登録第３０２２４０２号
【考案の概要】
【考案が解決しようとする課題】
【０００４】
上記従来技術のリュックサックでは、収納した荷物を使用する際にいちいち蓋を開けたり開口部を広げる必要があり、手間がかかる。また、そのような手間を省くために収納した荷物をリュックサックから取り出した状態にしておくと、荷物が散らばってしまい整理整頓できないという課題があった。
【０００５】
本考案はこのような問題点に鑑みてなされたものであり、収納した荷物を手間を要さずに使用でき、且つ、整理整頓することが可能なリュックサックを提供することを目的とする。
【課題を解決するための手段】
【０００６】
上記課題を解決するため、本考案によれば、荷物を収納する袋体と、前記袋体に設けられた一対の背負いベルトと、前記袋体の上部に配置され、ファスナにより開閉される開口部と、前記袋体の下部に配置され、前記袋体を自立させることが可能なように略平坦に形成された底部と、を有し、前記袋体は、前記開口部を前記底部の面積と略同じまたはそれ以上の開口面積で開口させた状態を維持できるように構成されているリュックサックが適用される。
【考案の効果】
【０００７】
本考案によれば、収納した荷物を手間を要さずに使用でき、且つ、整理整頓することができる。
【図面の簡単な説明】
【０００８】
【図１】本実施形態に係るリュックサックの構成の一例を表す正面図である。
【図２】本実施形態に係るリュックサックの構成の一例を表す背面図である。
【図３】本実施形態に係るリュックサックの構成の一例を表す側面図である。
【図４】本実施形態に係るリュックサックの構成の一例を表す、底面側から見た斜視図である。
【図５】本実施形態に係るリュックサックの開口部をファスナにより開いた状態の一例を表す斜視図である。
【図６】本実施形態に係るリュックサックにおいて、開いた開口部を折り曲げてスナップボタンを留めた状態の一例を表す斜視図である。
【図７】本実施形態に係るリュックサックを箱型収納容器として使用している状態の中身の一例を表す斜視図である。
【考案を実施するための形態】
【０００９】
以下、一実施の形態について図面を参照しつつ説明する。
【００１０】
＜１．リュックサックの荷物持ち運び時の構成＞
まず、図１〜図４を用いて、本実施形態に係るリュックサックの荷物持ち運び時の構成の一例について説明する。図１は本実施形態に係るリュックサックの構成の一例を表す正面図、図２は背面図、図３は側面図、図４は底面側から見た斜視図である。
【００１１】
図１〜図４に示すように、リュックサック１は、荷物を収納する袋体３と、一対の背負いベルト５と、一対の手提げ部７とを有する。袋体３は、布等よりも剛性の高い素材、例えばポリエチレンを含む合成樹脂製の糸状体を織り込んで形成されたシート（いわゆるブルーシート）で構成された、袋状の部材である。但し、袋体３の素材は上記シートに限るものではなく、他の素材を用いてもよい。袋体３の上端部にはファスナ９が設けられており、当該ファスナ９により袋体３の開口部１１が開閉される。また図４に示すように、袋体３の下端部には略平坦に形成された底部１３が設けられており、当該平坦な底部１３及び袋体３の剛性により、図１〜図３に示すように袋体３は自立することが可能となっている。
【００１２】
図１に示すように、袋体３の正面側（使用者の背中が接触する側とは反対側。言い換えると前側）に位置する正面部３ａは、上下方向を長辺とする略長方形状に形成されており、その上部には紐状の手提げ部７が取り付けられている。手提げ部７の両端に設けられた取付部１５は、開口部１１の周辺、具体的には開口部１１から所定距離だけ下方に離間した位置に金具１７及び縫製により取り付けられている。なお、取付部１５を金具１７又は縫製のいずれか一方のみで袋体３に固定してもよい。手提げ部７は柔軟性を有する素材で構成されており、突出方向を上方向、水平方向、下方向等自在に変更できる。
【００１３】
図１及び図３に示すように、袋体３の正面部３ａの下部には、小物を収納可能な前ポケット１９が前側に突出して設けられている。前ポケット１９の上部にはファスナ２１が設けられており、当該ファスナ２１により前ポケット１９の開口部２３が開閉される。前ポケット１９の上端部に配置された蓋部２５には、その表面（上面、正面、側面）を覆うように光を反射する反射材２７（図中グレーで表示した部分。以下同様）が設けられている。また、前ポケット１９の下部には、正面部３ａにおいて反射材２７が露出した部分である反射領域２８が設けられている。これらの反射材２７は、夜間や暗闇等において外部から光が照射された際に当該光を反射して発光する。
【００１４】
袋体３の側面側（正面側及び背面側と直交する方向側。言い換えると左右側又は横側）に位置する側面部３ｂ，３ｃは、上下方向を長辺とする略長方形状に形成されている。図３に示すように、ファスナ９により開口部１１が閉じられた状態では、側面部３ｃ（側面部３ｂも同様）は下部から上部に向けて徐々に山折りされ、図１及び図２に示すように底部１３側から開口部１１側に近づくにつれて徐々に左右方向外側に突出する。側面部３ｂ，３ｃには、開口部１１から所定距離だけ下方に離間した位置に、スナップボタン２９のオス部２９ａ（保持具の一例）がそれぞれ設けられている。一方、ファスナ９の長手方向両端部には、スナップボタン２９のメス部２９ｂ（保持具の一例）が設けられている。詳細は後述するが、リュックサック１を箱型収納容器として使用する際には、袋体３の開口部１１がファスナ９の下部で内側から外側に折り曲げられ、スナップボタン２９のメス部２９ｂがオス部２９ａに留められることにより、開口部１１を広げて開口させた状態が保持される。側面部３ｂ，３ｃの下部には、小物を収納可能な横ポケット３１がそれぞれ設けられている。
【００１５】
図２に示すように、袋体３の背面側（使用者の背中が接触する側。言い換えると後側）に位置する背面部３ｄは、上下方向を長辺とする略長方形状に形成されており、その上部には紐状の手提げ部７が取り付けられている。手提げ部７の両端に設けられた取付部３３は、開口部１１の周辺、具体的には開口部１１から所定距離だけ下方に離間した位置に縫製により取り付けられている。なお、前述の取付部１５と同様に、取付部３３を縫製に加えて又は代えて金具を使用して袋体３に固定してもよい。
【００１６】
取付部３３の上部には、帯状のベルト受け部３５が左右方向に設けられている。背負いベルト５の上端５ａは、ベルト受け部３５に縫製により取り付けられている。すなわち、背負いベルト５の上端５ａは、袋体３の背面部３ｄにおいて、手提げ部７を袋体３に取り付けた取付位置よりも上方に取り付けられている。この際、背負いベルト５の上端５ａをベルト受け部３５に対して上側に回り込ませて取り付けることにより、背負いベルト５の上端が略Ｕ字状に折り曲げられて取り付けられ、使用者の肩に掛け易い構成とすることができる。
【００１７】
背負いベルト５の中間部には長さ調整部材３７が設けられており、その下端５ｂは袋体３の側面部３ｂ，３ｃ（詳細には側面部３ｂと背面部３ｄとの境目、及び、側面部３ｃと背面部３ｄとの境目）に取り付けられている。具体的には、背負いベルト５の下端５ｂは、背面部３ｄにおいて反射材２７が露出した部分である反射領域３９から所定距離だけ上方に離間した位置に縫製により取り付けられている。なお、背負いベルト５の表面には、その幅方向中央部に長手方向に沿って反射材２７が設けられている。
【００１８】
図４に示すように、袋体３の底部１３は、その全面が反射材２７により覆われている。また反射材２７は、底部１３の全面を覆うと共に、前述のように袋体３の正面部３ａ及び背面部３ｄの両方に露出するように設けられており、図３に示すように、正面部３ａにおいて露出した部分である反射領域２８の底部１３からの高さｈと、背面部３ｄにおいて露出した部分である反射領域３９の底部からの高さｈとは、略同じ高さとなっている。
【００１９】
＜２．リュックサックの収納容器使用時の構成＞
リュックサック１は、袋体３に荷物を収納して持ち運ぶと共に、持ち運び先において箱型収納容器として使用することが可能である。次に、図５〜図７を用いて、本実施形態に係るリュックサックを箱型収納容器として使用する際の構成の一例について説明する。図５は本実施形態に係るリュックサックの開口部をファスナにより開いた状態の一例を表す斜視図、図６は開いた開口部を折り曲げてスナップボタンを留めた状態の一例を表す斜視図、図７はリュックサックを箱型収納容器として使用している状態の中身の一例を表す斜視図である。
【００２０】
リュックサック１を収納容器として使用する際には、図５に示すように、使用者はまずファスナ９を開けて開口部１１を開く。次に図６に示すように、使用者は、袋体３の開口部１１をファスナ９の下部で周方向全体に亘って内側から外側に向けて折り曲げ、ファスナ９の両端部に設けられたスナップボタン２９のメス部２９ｂを、袋体３の側面部３ｂ，３ｃに設けられたオス部２９ａにそれぞれ留める。これにより、開口部１１は、底部１３と略同じ形状（略長方形形状）で、且つ、底部１３の面積と略同じまたはそれ以上の開口面積で開口した状態で保持される。したがって、袋体３に収納した荷物をファスナ９の開閉等の手間を要さずに容易且つ円滑に使用できると共に、容器に収納した状態を維持できるので荷物が散らばるのを防止でき、整理整頓することができる。
【００２１】
また、開口部１１は袋体３の折り曲げ部４１を縁として開口した状態で保持される。袋体３を折り曲げることで開口部分の剛性が高まるので、開口状態を強固に維持できる。さらに、荷物を袋体３に対して出し入れする際に、ファスナ９が手に接触することによる擦れやケガを防止できるので、安全性を向上できる。
【００２２】
また、開口部１１が内側から外側に折り曲げられることにより、一対の手提げ部７はそれぞれ下方（鉛直下向きである必要はなく、水平方向よりも下方であればよい）に向けられる。これにより、荷物を袋体３に対して出し入れする際に、手と手提げ部７が干渉することを回避でき、より出し入れし易くなる。したがって、利便性を向上できる。
【００２３】
以上により、図７に示すように、リュックサック１を上方が開いた箱型収納容器として使用することができる。図７に示す例では、袋体３の内部に複数（例えば８本）のペットボトル４３が整頓して収納されており、折り曲げ部４１を周縁部とする開口部１１を介してペットボトル４３を容易に出し入れすることができる。なお、ペットボトル４３は袋体３に収納する荷物の一例であり、その他にも様々な荷物を収納することが可能である。特に、本実施形態のリュックサック１は、地震や洪水などの災害の発生時に、水や非常食等の防災用品を収納して避難所等に避難し、当該避難所等において防災用品を使用し易いように箱型収納容器として使用するのに好適である。
【００２４】
＜３．実施形態の効果＞
以上説明したように、本実施形態のリュックサック１は、荷物を収納する袋体３と、袋体３に設けられた一対の背負いベルト５と、袋体３の上部に配置され、ファスナ９により開閉される開口部１１と、袋体３の下部に配置され、袋体３を自立させることが可能なように略平坦に形成された底部１３と、を有し、袋体３は、開口部１１を底部１３の面積と略同じまたはそれ以上の開口面積で開口させた状態を維持できるように構成されている。
【００２５】
本実施形態のリュックサック１は、荷物を収納した袋体３の開口部１１をファスナ９で閉じて、使用者が背負いベルト５を肩に掛けることにより、荷物の運搬に使用することができる。また、荷物を出して使用する際には、袋体３を自立させると共に、開口部１１をファスナ９で開いて底部１３と同等以上の開口面積となるように開口させた状態を維持させることで、袋体３を上方が開いた箱型収納容器として使用することができる。これにより、袋体３に収納した荷物をファスナ９の開閉等の手間を要さずに容易且つ円滑に使用できると共に、容器に収納した状態を維持できるので荷物が散らばるのを防止でき、整理整頓することができる。
【００２６】
また、本実施形態では特に、袋体３は、開口部１１がファスナ９の下部で内側から外側に折り曲げられることにより、当該折り曲げ部４１が縁となって開口させた状態が維持されるように構成されている。これにより、袋体３の開口部１１を折り曲げることで開口部分の剛性を高めることができるので、開口状態を強固に維持できる。また、荷物を袋体３に対して出し入れする際に、ファスナ９が手に接触することによる擦れやケガを防止できるので、安全性を向上できる。
【００２７】
また、本実施形態では特に、開口部１１の長手方向両端に設けられ、開口部１１を折り曲げて開口させた状態を保持するためのスナップボタン２９をさらに有する。スナップボタン２９を留めることにより、折り曲げの戻り等を防止でき、袋体３の開口状態をより強固に保持できる。これにより、荷物を袋体３に対して出し入れし易くなり、利便性を向上できる。
【００２８】
また、本実施形態では特に、袋体３の開口部１１の周辺に設けられた一対の手提げ部７をさらに有し、手提げ部７は、開口部１１がファスナ９の下部で内側から外側に折り曲げられることにより、下方を向くように構成されている。これにより、荷物を袋体３に対して出し入れする際に、手と手提げ部７が干渉することを回避でき、より出し入れし易くなる。したがって、利便性をさらに向上できる。
【００２９】
また、本実施形態では特に、リュックサック１は、底部１３の全面を覆うように設けられ、光を反射する反射材２７をさらに有する。これにより、例えば夜間や暗闇において使用者が背中に背負って使用している際に転んだり屈んだりして姿勢を崩した場合でも、光を反射させて使用者の存在を目立たせることができる。したがって、安全性を向上できる。また、夜間や暗闇においてリュックサック１を自立した収納容器として使用している際に倒れたような場合にも、使用者は光の反射によりリュックサック１の場所を認識することができ、利便性を向上できる。
【００３０】
また、本実施形態では特に、反射材２７は、底部１３の全面を覆うと共に、袋体３の正面部３ａ及び背面部３ｄの両方に露出するように設けられており、正面部３ａにおいて露出した部分の底部１３からの高さｈと背面部３ｄにおいて露出した部分の底部１３からの高さｈが略同じである。これにより、夜間や暗闇においてリュックサック１を自立した収納容器として使用している際に、使用者は前後方向のどちらの方向から見ても光の反射によりリュックサック１の場所を認識することができ、利便性を向上できる。また、袋体３の正面側と背面側の重量や剛性のバランスが良くなり、自立の安定性を向上できる。
【００３１】
また、本実施形態では特に、背負いベルト５の下端５ｂは、袋体３の側面部３ｂ，３ｃにおいて、反射材２７が露出した部分である反射領域３９よりも上方に取り付けられている。このように、背負いベルト５の下端５ｂを袋体３の底部１３でなく側面部３ｂ，３ｃに取り付けることにより、袋体３の自立性が阻害されることを防止できると共に、反射材２７による反射が阻害されることを防止できる。さらに、使用者がリュックサック１を背負った際に、背負いベルト５の下端５ｂの取付部分が背中に当接するのを防止できるので、背負い具合も良好となる。
【００３２】
また、本実施形態では特に、背負いベルト５の上端５ａは、袋体３の背面部３ｄにおいて、手提げ部７を袋体３に取り付けた取付位置よりも上方に取り付けられている。すなわち、背負いベルト５の上端５ａを袋体３に取り付けるための取付部（ベルト受け部３５）や、手提げ部７を袋体３に取り付けるための取付部３３は、縫い付け代等を確保するためにある程度大きな面積が必要となる。本実施形態では、これらの取付部の位置を上下方向にずらすことにより、各取付部の干渉を回避してそれぞれの面積を確保することができるので、各取付部の強度を確保することができる。
【００３３】
また、本実施形態では特に、袋体３は、ポリエチレンを含む合成樹脂製の糸状体を織り込んで形成されたシートにより構成されている。これにより、リュックサック１を軽量化できると共に強度を高めることができ、且つ、防水性及び防炎性に優れたリュックサックを実現できる。また、袋体３を比較的硬く剛性の高い素材で構成できるため、自立性を向上できると共に、形状を記憶させて開口状態を保持し易くすることができる。
【００３４】
なお、以上既に述べた以外にも、上記実施形態や変形例による手法を適宜組み合わせて利用しても良い。その他、一々例示はしないが、上記実施形態や各変形例は、その趣旨を逸脱しない範囲内において、種々の変更が加えられて実施されるものである。
【符号の説明】
【００３５】
１            リュックサック
３            袋体
３ａ          正面部
３ｂ，３ｃ    側面部
３ｄ          背面部
５            背負いベルト
５ａ          上端
５ｂ          下端
７            手提げ部
９            ファスナ
１１          開口部
１３          底部
２７          反射材
２８          反射領域
２９          スナップボタン（保持具）
３５          ベルト受け部
３９          反射領域
４１          折り曲げ部
ｈ            高さ
【図１】
0003231163.tif 000003
【図２】
0003231163.tif 000004
【図３】
0003231163.tif 000005
【図４】
0003231163.tif 000006
【図５】
0003231163.tif 000007
【図６】
0003231163.tif 000008
【図７】
0003231163.tif 000009
【手続補正書】
【提出日】令和3年1月6日(2021.1.6)
【手続補正１】
【補正対象書類名】実用新案登録請求の範囲
【補正対象項目名】全文
【補正方法】変更
【補正の内容】
【実用新案登録請求の範囲】
【請求項１】
荷物を収納する袋体と、
前記袋体に設けられた一対の背負いベルトと、
前記袋体の上部に配置され、ファスナにより開閉される開口部と、
前記袋体の下部に配置され、前記袋体を自立させることが可能なように略平坦に形成された底部と、を有し、
前記袋体に設けられ、前記開口部を前記底部の面積と略同じまたはそれ以上の開口面積で開口させた状態を保持する保持具と、
を有することを特徴とするリュックサック。
【請求項２】
前記保持具は、
前記開口部が前記ファスナの下部で内側から外側に折り曲げられることにより、当該折り曲げ部が縁となって前記開口させた状態を保持する
ことを特徴とする請求項１に記載のリュックサック。
【請求項３】
前記保持具は、
前記開口部の長手方向両端に設けられている
ことを特徴とする請求項２に記載のリュックサック。
【請求項４】
前記袋体の前記開口部の周辺に設けられた一対の手提げ部をさらに有し、
前記手提げ部は、
前記開口部が前記ファスナの下部で内側から外側に折り曲げられることにより、下方を向く
ことを特徴とする請求項２又は３に記載のリュックサック。
【請求項５】
前記底部の全面を覆うように設けられ、光を反射する反射材をさらに有する
ことを特徴とする請求項１乃至４のいずれか１項に記載のリュックサック。
【請求項６】
前記反射材は、
前記底部の全面を覆うと共に、前記袋体の正面部及び背面部の両方に露出するように設けられており、前記正面部において露出した部分の前記底部からの高さと前記背面部において露出した部分の前記底部からの高さが略同じである
ことを特徴とする請求項５に記載のリュックサック。
【請求項７】
前記背負いベルトの下端は、
前記袋体の側面部において、前記反射材が露出した部分よりも上方に取り付けられている
ことを特徴とする請求項５又は６に記載のリュックサック。
【請求項８】
前記袋体の前記開口部の周辺に設けられた一対の手提げ部をさらに有し、
前記背負いベルトの上端は、
前記袋体の背面部において、前記手提げ部を前記袋体に取り付けた取付位置よりも上方に取り付けられている
ことを特徴とする請求項５乃至７のいずれか１項に記載のリュックサック。